(57)【要約】【課題】ユーザが装置を操作するとき、案内画面に出てきた項目の意味が分かりやすく、さらに項目を選択する操作が簡素化された装置を得る。【解決手段】案内画面処理制御部は、メニュー画面の要求があったときに、複数の選択項目を画面の上下方向へだけにならべて表示する手段と、前記複数の選択項目のうちいずれか１つがカーソルにより指定されたときには、当該選択項目の意味内容を示すコメント表示用のデータを出力する手段と、前記選択項目のうちのいずれか１つが決定されたときには、決定された選択項目に含まれる、複数の下位の選択項目を前記画面の上下方向へだけにならべて表示する手段を有する。【選択図】      図７
2006318588.tif 000002
【特許請求の範囲】
【請求項１】
装置の動作を統括する制御部と、前記制御部の制御に基づいて操作案内用の画面データを選択して出力する案内画面処理制御部とを有した記録再生装置において、
前記案内画面処理制御部は、
メニュー画面の要求があったときに、複数の選択項目を画面の上下方向へだけにならべて表示する手段と、
前記複数の選択項目のうちいずれか１つがカーソルにより指定されたときには、当該選択項目の意味内容を示すコメント表示用のデータを出力する手段と、
前記選択項目のうちのいずれか１つがカーソルにより指定され、さらに、決定されたときには、決定された選択項目に含まれる、複数の下位の選択項目を前記画面の上下方向へだけにならべて表示する手段と、
を有することを特徴とする記録再生装置の案内画面処理装置。
【請求項２】
前記複数の選択項目及び複数の下位の選択項目を画面の上下方向へだけにならべて表示する場合は、前記が面の左側の領域に配置し、前記意味内容を示すコメントを、前記画面の右側の領域に配置する手段を含むことを特徴とする請求項１記載の記録再生装置の案内画面処理装置。
【請求項３】
前記画面には、リモートコントローラを操作してカーソルを上又は下方向へ移動させるためカーソルキーのマークが表示され、また、決定を行うための決定キーのマークが表示されていることを特徴とする請求項１記載の記録再生装置の案内画面処理装置。
【請求項４】
前記マークは、前記画面の下側の領域に表示され、前記複数の選択項目及び複数の下位の選択項目は、前記画面の左側に上下方向に並び、画面の右側には前記コメントが表示されることを特徴とする請求項２記載の記録再生装置の案内画面処理装置。
【請求項５】
装置の動作を統括する制御部と、前記制御部の制御に基づいて操作案内用の画面データを選択して出力する案内画面処理制御部とを有した記録再生装置の案内画面処理方法において、
メニュー画面の要求があったときに、複数の選択項目を画面の上下方向へだけにならべて表示し、
前記複数の選択項目のうちいずれか１つがカーソルにより指定されたときには、当該選択項目の意味内容を示すコメント表示用のデータを出力し、
前記選択項目のうちのいずれか１つがカーソルにより指定され、さらに、決定されたときには、決定された選択項目に含まれる、複数の下位の選択項目を前記画面の上下方向へだけにならべて表示する、
ことを特徴とする記録再生装置の案内画面処理方法。
【請求項６】
前記画面には、リモートコントローラを操作してカーソルを上又は下方向へ移動させるためカーソルキーのマークと、また、決定を行うための決定キーのマークとを表示することを特徴とする請求項５記載の記録再生装置の案内画面処理方法。
【請求項７】
前記マークを、前記画面の下側の領域に表示し、前記複数の選択項目及び複数の下位の選択項目を、前記画面の左側に上下方向に並べ、画面の右側には前記コメントが表示することを特徴とする請求項６記載の記録再生装置の案内画面処理方法。
【発明の詳細な説明】
【技術分野】
【０００１】
この発明は、ユーザが録画装置を操作するとき、グラフィックユーザインターフェース（ＧＵＩ）の案内画面が分かりやすく操作感覚に適合しており、操作性を向上した案内画面処理器付き録画装置に関する。
【背景技術】
【０００２】
近年の画像記録再生装置においては、記憶媒体の大容量化が進み、また記録媒体として種類の異なる複数の記録媒体を装填することができるようになった。また種類の異なる複数の記録装置をネットワークを介して外部接続できるようになった。
【０００３】
このために、画像記録再生装置の操作は、一層煩雑となり、メニュー画面を見ながら所望の操作項目にたどりつくまでに時間がかかり、また操作が煩わしくなっている。メニュー画面を得られても、ユーザは、表示された項目名がどのような意味を有するのかわからず、取り扱い説明書を開いて確認することもある。また、メニュー画面での各種の項目は、左右、上下に統一性なく並んでいるために、カーソルを移動制御する際のリモコン操作が煩雑である。
【０００４】
メニュー画面において、多数の項目を有する複数のページを同時に、そして一部重ねて表示する技術もある（例えば特許文献１）。しかし、所望の項目を選択するのに、希望するページとは異なるページを誤って選択しやすく、所望の項目を有するページが隠れてしまうこともあり、操作性に劣る。
【特許文献１】特開２００１−２６５４７７公報
【発明の開示】
【発明が解決しようとする課題】
【０００５】
上記したように従来のＧＵＩでは、項目選択を行うのに操作が煩雑である、また項目の意味が分からない場合は取り扱い説明書を見なければならず、不便であるというような問題がある。
【０００６】
そこでこの発明の目的は、ユーザが装置を操作するとき、案内画面に出てきた項目の意味が容易に分かり、さらに項目を選択する操作が、簡素化され操作性がよい記録再生装置の案内画面処理装置を提供することにある。
【課題を解決するための手段】
【０００７】
この発明は、上記の問題を解決するために、装置の動作を統括する制御部と、前記制御部の制御に基づいて操作案内用の画面データを選択して出力する案内画面処理制御部とを有した記録再生装置において、前記案内画面処理制御部は、メニュー画面の要求があったときに、複数の選択項目を画面の上下方向へだけにならべて表示する手段と、前記複数の選択項目のうちいずれか１つがカーソルにより指定されたときには、当該選択項目の意味内容を示すコメント表示用のデータを出力する手段と、前記選択項目のうちのいずれか１つがカーソルにより指定され、さらに、決定されたときには、決定された選択項目に含まれる、複数の下位の選択項目を前記画面の上下方向へだけにならべて表示する手段を有する。
【発明の効果】
【０００８】
上記の手段によると、案内画面に出てきた項目の意味は、コメントを見ることで容易に理解できる。また、上下方向操作用のカーソルキーのみを操作することで複数の選択項目のいずれかを選択することができ、操作性がよい。
【発明を実施するための最良の形態】
【０００９】
以下、図面を参照しこの発明の実施の形態を説明する。まず図１を参照し、発明が適用された記録再生装置の全体構成を説明する。
【００１０】
この記録再生装置は、２種類のディスクドライブ部を有する。光ディスク１０１は、ビデオファイルを構築できる情報記録媒体である。ディスクドライブ部１０２は、光ディスク１０１を回転駆動し、情報の読み書きを実行する。１０４はハードディスクを駆動するハードディスクドライブ（ＨＤＤ）部である。
【００１１】
データプロセッサ部１０３は、ディスクドライブ部１０２及びハードディスクドライブ部１０４に記録データを供給することができ、また、再生された信号を受け取ることができる。ディスクドライブ部１０２は、光ディスク１０１に対する回転制御系、レーザ駆動系、光学系などを有する。
【００１２】
データプロセッサ部１０３は、記録または再生単位のデータを取り扱うもので、バッファ回路、変調・復調回路、エラー訂正部などを含む。
【００１３】
この記録再生装置は、録画側を構成するエンコーダ部２００と、再生側を構成するデコーダ部３００と、装置本体の動作を統括して制御するマイクロコンピュータブロック４００とを主たる構成要素としている。エンコーダ部２００は、入力されたアナログビデオ信号やアナログオーディオ信号をデジタル化するビデオ用及びオーディオ用のアナログデジタルコンバータと、ビデオエンコーダと、オーディオエンコーダとを有する。さらに、映画の字幕などを圧縮する副映像エンコーダも含む。
【００１４】
エンコーダ部２００の出力は、バッファメモリ２０３を含むフォーマッタ２０４にて所定のＤＶＤ（ＤＶＤ−Ｒ，ＤＶＤ−ＲＷ，ＤＶＤ−ＲＡＭ、など）フォーマットに変換され、先のデータプロセッサ部１０３に供給される。エンコーダ部２００には、ＡＶ入力部２１１から外部アナログビデオ信号と外部アナログオーディオ信号、あるいはＴＶチューナ２１２からアナログビデオ信号とアナログオーディオ信号が入力される。なお、エンコーダ部２００は、圧縮されたデジタルビデオ信号やデジタルオーディオ信号が直接入力されるときは、圧縮デジタルビデオ信号やデジタルオーディオ信号を直接フォーマッタ２０４に供給することもできる。またエンコーダ部２００は、アナログデジタル変換されたデジタルビデオ信号及びオーディオ信号を、ビデオミキシング部３０５及びオーディオセレクタ３０１にそれぞれ直接供給することもできる。
【００１５】
エンコーダ部２００に含まれるビデオエンコーダでは、デジタルビデオ信号はＭＰＥＧ２またはＭＰＥＧ１規格に基づいた可変ビットレートで圧縮されたデジタルビデオ信号に変換される。オーディオ信号は、ＭＰＥＧまたはＡＣ−３規格に基づいて固定ビットレートで圧縮されたデジタルオーディオ信号、あるいはリニアＰＣＭのデジタルオーディオ信号に変換される。
【００１６】
副映像信号がＡＶ入力部２１１から入力された場合（例えば副映像信号の独立出力端子付ＤＶＤビデオプレーヤからの信号など）、あるいはこのようなデータ構成のＤＶＤビデオ信号が放送されてそれがＴＶチューナ２１２で受信された場合は、ＤＶＤビデオ信号中の副映像信号が副映像エンコーダでエンコード（ランレングス符号化）されて副映像のビットマップとなる。
【００１７】
エンコードされたデジタルビデオ信号、デジタルオーディオ信号、副映像データは、フォーマッタ２０４にてパック化され、ビデオパック、オーディオパック、副映像パックとなり、さらにこれらが集合されてＤＶＤ−レコーディング規格（例えばＤＶＤ−ＲＡＭ、ＤＶＤ−Ｒ、ＤＶＤ−ＲＷなどに記録する規格）で規定されたフォーマットに変換される。
【００１８】
ここでこの装置は、フォーマッタ２０４でフォーマット化された情報（ビデオ、オーディオ、副映像データなどのパック）及び作成された管理情報を、データプロセッサ部１０３を介してハードディスクドライブ部１０４あるいはデータディスクドライブ部１０２に供給し、ハードディスクあるいは光ディスク１０１に記録することができる。またハードディスクあるいは光ディスクに記録された情報を、データプロセッサ部１０３、ディスクドライブ部１０２を介して光ディスク１０１あるいはハードディスクに記録することもできる。
【００１９】
またハードディスクあるいは光ディスク１０１に記録されている複数番組のビデオオブジェクトを、一部削除したり、異なる番組のオブジェクトをつなげたり、といった編集処理を行うこともできる。これは、ＤＶＤフォーマットが取り扱うデータ単位を定義し、このデータ単位で信号処理することで編集を容易にしているからである。
【００２０】
マイクロコンピュータブロック４００は、ＭＰＵ（マイクロプロセッシングユニット）、またはＣＰＵ（セントラルプロセッシングユニット）と、制御プログラム等が書きこまれたＲＯＭと、プログラム実行に必要なワークエリアを提供するためのＲＡＭとを含んでいる。
【００２１】
マイクロコンピュータブロック４００のＭＰＵは、そのＲＯＭに格納された制御プログラムに従い、ＲＡＭをワークエリアとして用いて、欠陥場所検出、未記録領域検出、録画情報記録位置設定、ＵＤＦ記録、ＡＶアドレス設定などを実行する。
【００２２】
またマイクロコンピュータブロック４００は、システム全体を制御するために必要な情報処理部を有するもので、ワークＲＡＭ、ディレクトリ検出部、ＶＭＧ（全体のビデオ管理情報）情報作成部、コピー関連情報検知部、コピー及びスクランブリング情報処理部（ＲＤＩ処理部）、パケットヘッダ処理部、シーケンスヘッダ処理部、アスペクト比情報処理部などを備える。
【００２３】
ＭＰＵの実行結果のうち、ユーザに通知すべき内容は、映像データ記録再生装置の表示部４０２に表示されるか、またはモニターディスプレイにＯＳＤ（オンスクリーンディスプレイ）表示される。またマイクロコンピュータブロック４００は、この装置を操作するための操作信号を与えるキー入力部４０１を有する。マイクロコンピュータブロック４００が、ディスクドライブ部１０２、ハードディスクドライブ部１０４、データプロセッサ部１０３、エンコーダ部２００及び／またはデコーダ部３００などを制御するタイミングは、ＳＴＣ（システムタイムクロック）４０３からの時間データに基づいて実行することができる。
【００２４】
録画や再生の動作は、通常はＳＴＣ４０３からのタイムクロックに同期して実行されるが、それ以外の処理はＳＴＣ４０３とは独立したタイミングで実行されてもよい。
【００２５】
デコーダ部３００は、パック構造を持つＤＶＤフォーマットの信号から各パックを分離して取り出すセパレータと、パック分離やその他の信号処理実行時に使用するメモリと、セパレータで分離された主映像データ（ビデオパックの内容）をデコードするＶデコーダと、セパレータで分離された副映像データ（副映像パックの内容）をデコードするＳＰデコーダと、セパレータで分離されたオーディオデータ（オーディオパックの内容）をデコードするＡデコーダとを有する。またデコードされた主映像にデコードされた副映像を適宜合成し、主映像にメニュー、ハイライトボタン、字幕やその他の副映像を重ねて出力するビデオプロセッサを備えている。
【００２６】
デコーダ部３００の出力ビデオ信号は、ビデオミキシング部３０５に入力される。ビデオミキシング部３０５では、テキストデータの合成が行われる。またビデオミキシング部３０５には、ＴＶチューナ２１２やＡ／Ｖ入力部２１１からの信号を直接取り込むラインもまた接続されている。ビデオミキシング部３０５には、バッファとして用いるフレームメモリ３０６が接続されている。ビデオミキシング部３０５の出力がアナログ出力の場合はＩ／Ｆ（インタフェース）３０７を介して外部出力され、デジタル出力の場合はデジタルアナログ変換器３０８を介して外部へ出力される。
【００２７】
また、ビデオミキシング部３０５は、ＧＵＩとしての案内画面を作るための画像信号を出力することができる。この画像信号は、ＯＳＤ（オンスクリーンディスプレイ）と称される場合もある。この画像信号は、マイクロコンピュータブロック４００内の案内画面処理制御部４０ｂにより制御されている。この案内画面処理制御部４０ｂの機能及び動作についてはさらに後で詳しく説明する。
【００２８】
デコーダ部３００の出力オーディオ信号は、セレクタ３０１を介してデジタルアナログ変換器３０２でアナログ変換され外部に出力される。セレクタ３０１は、マイクロコンピュータブロック４００からのセレクト信号により制御される。これによりセレクタ３０１は、ＴＶチューナ２１２やＡ／Ｖ入力部２１１からのデジタル信号を直接モニタする時、エンコーダ部２００をスルーした信号を直接選択することも可能である。
【００２９】
なお、エンコーダ部２００のフォーマッタでは、録画中、各切り分け情報を作成し、定期的にマイクロコンピュータブロック４００のＭＰＵへ送る（ＧＯＰ先頭割り込み時などの情報）。切り分け情報としては、ＶＯＢＵ（ビデオオブジェクトユニット）のパック数、ＶＯＢＵ先頭からのＩピクチャのエンドアドレス、ＶＯＢＵの再生時間などである。
【００３０】
同時に、アスペクト情報処理部からの情報を録画開始時にＭＰＵへ送り、ＭＰＵはＶＯＢストリーム情報（ＳＴＩ）を作成する。ここでＳＴＩは、解像度データ、アスペクトデータなどを保存し、再生時、各デコーダ部ではこの情報を元に初期設定が行われる。
【００３１】
また本装置では、ビデオファイルは１ディスクに１ファイルとしている。またデータをアクセス（シーク）している間に、途切れないで再生を続けるために、最低限連続する情報単位（サイズ）を決めている。この単位をＣＤＡ（コンティギュアス・データ・エリア）という。ＣＤＡサイズは、ＥＣＣ（エラー訂正コード）ブロック（１６セクタ）の倍数であり、ファイルシステムではこのＣＤＡ単位で記録を行っている。
【００３２】
データプロセッサ部１０３は、エンコーダ部２００のフォーマッタからＶＯＢＵ単位のデータを受け取り、ＣＤＡ単位のデータをディスクドライブ部１０２あるいはハードディスクドライブ部１０４に供給している。またマイクロコンピュータブロック４００のＭＰＵは、記録したデータを再生するのに必要な管理情報を作成し、データ記録終了のコマンドを認識すると、作成した管理情報をデータプロセッサ部１０３に送る。これにより、管理情報がディスクに記録される。従って、エンコードが行われているとき、エンコーダ部２００からマイクロコンピュータブロック４００のＭＰＵは、データ単位の情報（切り分け情報など）を受け取る。また、マイクロコンピュータブロック４００のＭＰＵは、記録開始時には光ディスク及びハードディスクから読み取った管理情報（ファイルシステム）を認識し、各ディスクの未記録エリアを認識し、データ上の記録エリアをデータプロセッサ部１０３を介してディスクに設定している。
【００３３】
図２には、上記の記録再生装置を操作するためのリモートコントローラ１１を示している。リモートコントローラ１１には、各種のキーが設けられているが、本発明の説明に関連するキーについてのみ説明することにする。中央上部に配置されているキーは、左右上下にカーソルを移動させるためのカーソルキー１１ａ，１１ｂ，１１ｃ，１１ｄであり、このカーソルキーの中央には、決定キー１１ｅが設けられている。また１１ｆは、メニューキーである。
【００３４】
図３には、上記のメニューキー１１ｆを操作した際に、モニタ３０９に現れるメニュー画面２１Ａの例を示している。
【００３５】
メニュー画面２１Ａには、項目として、「番組表から探す」、「Ｇコードで予約する」、「予約番組の一覧」、「録画番組を見る」、「録画番組を編集する」、「ダビングする」、「ＤＶＤを初期化する」、「その他の設定」などがある。この項目は、画面左側に縦に並んで標示される。ユーザが希望とする項目をカーソルキーによりカーソルを移動させて選択し、決定キーを押すことで、項目名に対応した機能を動作させることができる。しかもこれらの項目は、縦方向（画面の上下方向）にならべて配列される。
【００３６】
しかしこの項目名を見ただけでは、具体的な意味内容が十分に把握できない場合がある。そこで、この装置では、カーソルが項目を指定（ポイント）した状態で、右側にポイントされている項目を選択したときに得られる機能がコメントして表示されるようになっている。つまり各項目に対して、以下のようなコメントが対応して表示される。
【００３７】
「番組表から探す」…番組表から番組の検索や録画予約ができます。
【００３８】
「Ｇコードで予約する」…新聞や雑誌のテレビ欄の数字を入力することで、予約録画できます。
【００３９】
「予約番組の一覧」…番組表やＧコードから予約を修正したり、時刻や番組が放送されるチャンネルを直接入力して予約録画できます。
【００４０】
「録画番組を見る」…内蔵ＨＤＤやＤＶＤディスクに録画した内容を子画面で一覧表示します。
【００４１】
「録画番組を編集する」…内蔵ＨＤＤやＤＶＤディスク（ＶＲモード）に録画した番組のチャンネルを分割したり、プレイリストを作ったりできます。
【００４２】
「ダビングする」…録画した番組をコピーや移動することができます。
【００４３】
「ＤＶＤを初期化する」…ＤＶＤ−ＲＡＭやＤＶＤ−Ｒ，ＤＶＤ−ＲＷを初期化することができます。
【００４４】
「その他の設定」…設定を変更することができます。
【００４５】
またユーザの操作感覚を助けるために、リモートコントローラ１１を操作してカーソルを上又は下方向へ移動させるためカーソルキーのマーク２１Ａ−１が表示され、また、決定を行うための決定キーのマーク２１Ａ−２が表示されている。
【００４６】
図４には、メニュー画面２１Ａから、「ＤＶＤを初期化する」という項目がポイントされたときの画面２１Ｂと、この画面２１Ｂから決定キーが押されたときの次の画面２１Ｃが現れたときの様子を示している。画面２１Ｂでは、ポイントされた項目の例えば色が変化する。画面２１Ｃは、ディスク情報を入力するためのである。このディスク情報が入力されたあと、画面２１Ｃで「開始」のボタンを選択し、決定キーを押すと、初期化が開始される。
【００４７】
図５には、メニュー画面２１Ｂから、「Ｇコードで予約する」という項目がポイントされ、次に決定キーが押されたときの画面２１Ｅの例を示している。
【００４８】
図６には、メニュー画面２１Ａから「録画番組を編集する」という項目が選択され、かつ決定された後に現れる画面２１Ｆを示している。この画面２１Ｆには、「チャプターを作る」、「プレイリストを作る」、「タイトルを結合する」、「ダビングする」、「ＤＶＤファイナライズ／解除する」、「録画番組を削除する」などの項目が現れる。ここで、「ダビングする」の項目がポイントされ、決定キーが押されたとすると、画面２１Ｇが現れる。ダビングの形態としては、ＨＤＤ→ＤＶＤ、ＤＶＤ→ＨＤＤ、ＨＤＤ→ＨＤＤの形態があり、いずれかを選択できるようになっている。この場合もダビング方向を示す項目は、縦方向に並べられている。また所望の項目がカーソルによりポイントされたとき、右側にコメントが現れてもよい。編集の場合には、メニュー画面から、第１、第２、第３番目の段階の画面２１Ａ、２１Ｆ，２１Ｇまで、選択項目が縦方向に配列されている。画面２１Ｈは、ダビング方向として例えばＨＤＤ→ＤＶＤが選択されたされた後、ダビングするタイトルを選択するための画面である。
【００４９】
上記のようにこの発明の装置では、メニュー画面から所望の動作を行わせる場合に、選択される複数の項目が１つの画面に縦方向（上下方向）に並ぶ配列とし、項目がポイントされたとき、右側にその項目の意味内容がコメントで現れるようにしている。この結果、ユーザは、カーソルキーの上下方向のカーソルキー１１ｃ，１１ｄと決定キー１１ｅの３つを操作すれば、所望の設定画面にたどり着くことができる。よって、ユーザは操作が楽であるとともに、カーソルで指定した項目に関してコメントが現れるので、自分が最終的に行おうとしている意思と、操作が合致しているかどうかを容易に確認することが可能である。
【００５０】
図７には、案内画面処理制御部４０ｂに含まれる各種の機能ブロックを示している。リモートコントローラ１１の操作情報は、操作入力判定部４０ａで判定され、案内画面処理制御部４０ｂの、操作入力論理判定部４０ｂ１で論理的に判断される。いまリモートコントローラ１１でメニューキーが操作されたとすると、メニュー画面データ出力部４０ｂ２はメニュー画面データを出力するように命令される。メニュー画面データ出力部４０ｂ２は、画像データメモリ４０ｂ５から画像データを読出し、これをオンスクリーンデータとして、Ｖミキシング部３０５へ出力する。また操作入力論理判定部４０ｂ１は、カーソル移動制御部４０ｂ３に対しても指令を与える。最初は、カーソルのデフォルトの位置を指令する。カーソル移動制御部４０ｂ３は、カーソル移動制御信号を受けて、カーソルデータ出力部４０ｂ４を制御し、カーソルデータの出力タイミングを制御している。カーソルキーが操作されることにより、カーソルが移動されると、コメントデータ出力部４０ｂ６から、カーソル位置に対応したコメントデータが出力される。これにより、ユーザは画面上でカーソルがポイントしている項目の意味内容を理解することができる。
【００５１】
メニュー画面の中から、所望の項目が選択されて、決定されると、操作入力論理判定部４０ｂ１が操作入力を論理的に判定し、次の画面データ選択部４０ｂ７を制御する。この次の画面データ選択部４０ｂ７は、画像データメモリ４０ｂ５から操作内容に対応した画面のデータを読出し、選択画面データ出力部４０ｂ８に与える。したがって、選択画面データ出力部４０ｂ８は、次の画面を出力する。この画面は、例えば、先に説明したようにメニュー画面の次に表示される画面、及びその次に表示される画面である。
【００５２】
画面上では、リモートコントローラ１１を操作してカーソルを上又は下方向へ移動させるためカーソルキーのマーク２１Ａ−１、また、決定を行うための決定キーのマーク２１Ａ−２が表示される。このマークのデータも例えばカーソルデータ出力部４０ｂ４から出力される。
【００５３】
図８には、上記の機能ブロックの動作をフローチャートで示している。メニューキー１１ｆが操作されると、メニュー画面データが出力される（ステップＳＡ１、ＳＡ２）。次にカーソルが上下方向に移動制御され、１つの項目を選択して指定すると、カーソルの移動位置の項目に対応したコメントが表示される（ステップＳＡ３、ＳＡ４）。次に決定キーがおされると、メニュー画面に対する下位の画面が表示されることになる。この下位の画面において、複数の選択項目がある場合には、上記ステップＡ３，Ａ４と同様な処理が実行される。そして最終的な下位の画面において、データ入力あるいは選択処理が終了すると、終了ボタンが選択されて決定キーが押される（ステップＳＡ５，ＳＡ６）。これにより、設定した機能が実行されることになる（ステップＳＡ７）。
【００５４】
なお、この発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【００５５】
【図１】この発明に係る記録再生装置の全体的な構成を示す図である。
【図２】この発明に係る装置を操作するリモートコントローラの概観を示す説明図である。
【図３】この発明に係るメニュー画面の例を示す説明図である。
【図４】この発明に係る装置において、メニュー画面から操作に応じて変遷する画面の例を示す説明図である。
【図５】この発明に係る装置において、メニュー画面から操作に応じて変遷する画面の他の例を示す説明図である。
【図６】この発明に係る装置において、メニュー画面から操作に応じて変遷する画面のさらに他の例を示す説明図である。
【図７】この発明に係る装置において、要部のブロック構成の例を示す図である。
【図８】この発明に係る装置において、図７のブロック構成部の動作を示すフローチャートである。
【符号の説明】
【００５６】
１０１…光ディスク、１０２…ディスクドライブ部、１０３…データプロセッサ部、１０４…ハードディスクドライブ部、２００…エンコーダ部、２０３…バッファメモリ、２０４…フォーマッタ、３００…デコーダ部、４００…マイクロコンピュータブロック、４０ａ…操作入力判定部，４０ｂ…案内画面処理制御部、４０ｂ１…操作入力論理判定部、４０ｂ２…メニュー画面データ出力部、４０ｂ３…カーソル移動制御部、４０ｂ４…カーソルデータ出力部、４０ｂ５…画像データメモリ、４０ｂ６…カーソル位置対応のコメントデータ出力部、４０ｂ７…次の画面データ選択部、４０ｂ８…選択画面データ出力部。
【図１】
2006318588.tif 000003
【図２】
2006318588.tif 000004
【図３】
2006318588.tif 000005
【図４】
2006318588.tif 000006
【図５】
2006318588.tif 000007
【図６】
2006318588.tif 000008
【図７】
2006318588.tif 000009
【図８】
2006318588.tif 000010